(57)【要約】【課題】高強度に、容易にかつ高精度に組立ができる嵌め込みフレーム構造体および筐体を提供する。【解決手段】断面コ字状の第一フレーム１、第二フレーム２とが直交して格子状に配置され、第一底面部１０の外面１０Ａと第二底面部２０の内面２０Ｂとを当接させるように第一連結部１００と第二連結部２００とにて連結され、第一連結部１００は、第二側面部２１、２２を挿入するために第一底面部１０から第一側面部１１、１２にそれぞれ連通して形成された第一切欠部１３、１４と、第一切欠部１３、１４に形成された突出部１５、１６と、第一切欠部１３、１４とは離反した嵌合孔３１〜３４とを有し、第二連結部２００は、嵌合孔３１〜３４に嵌合される長手方向に突出して形成された嵌合部４１〜４４を形成する第二切欠部２３〜２６と、第二底面部２０には、突出部１５、１６が挿入する挿入孔２７、２８とを有する。【選択図】図１
2018085355.tif 000002
【特許請求の範囲】
【請求項１】
短手方向の断面形状の一部がコ字状であってコ字状の部分は第一底面部、および一対の第一側面部にて形成される第一フレームと、
短手方向の断面形状がコ字状であってコ字状の部分は第二底面部、および一対の第二側面部にて形成される第二フレームとをそれぞれ複数有し、
各前記第一フレームと各前記第二フレームとがそれぞれ直交するように格子状に配置され、当該直交する箇所では、前記第一フレームの前記第一底面部の外面と前記第二フレームの前記第二底面部の内面とを当接させるように前記第一フレームの第一連結部と、前記第二フレームの第二連結部とがそれぞれ連結される嵌め込みフレーム構造体であって、
前記第一フレームの前記第一連結部は、
一対の前記第二側面部を挿入するために前記第一底面部から一対の前記第一側面部にそれぞれ連通して形成された切り欠きを長手方向に間隔を隔てて形成された一対の第一切欠部と、
一対の前記第一切欠部の少なくともいずれか一方において一対の前記第一切欠部にて挟まれた前記第一底面部から長手方向に突出する突出部と、
一対の前記第一切欠部の前記第一側面部の少なくともいずれか１つの延長線上に、一対の前記第一切欠部とは離反して形成された嵌合孔とを有し、
前記第二フレームの前記第二連結部は、
一対の前記第二側面部には、前記嵌合孔に嵌合される長手方向に突出するための嵌合部を形成する第二切欠部と、
前記第二底面部には、前記突出部が挿入される挿入孔とを有する嵌め込みフレーム構造体。
【請求項２】
前記突出部は、一対の前記第一切欠部のいずれにも形成され、
前記第二底面部は、各前記突出部が挿入された前記挿入孔を二箇所に有する請求項１に記載の嵌め込みフレーム構造体。
【請求項３】
前記第一底面部における、一対の前記第一切欠部の長手方向の最長箇所の長さは、
一対の前記第二側面部の内側間の長さより長く、かつ、一対の前記第二側面部の外側間の長さより短く形成された請求項１または請求項２に記載の嵌め込みフレーム構造体。
【請求項４】
前記第一フレームの前記突出部は、突出側の短手方向の長さが、根元側の短手方向の長さより短くなる傾斜部を備えた請求項１から請求項３のいずれか１項に記載の嵌め込みフレーム構造体。
【請求項５】
前記嵌合孔は、一対の前記第一切欠部の一対の前記第一側面部の全ての延長線上の四箇所に、一対の前記第一切欠部とは離反してそれぞれ形成され、
一対の前記第二側面部には、各前記嵌合孔に嵌合される長手方向に突出するための前記嵌合部を形成する前記第二切欠部を四箇所に形成された請求項１から請求項４のいずれか１項に記載の嵌め込みフレーム構造体。
【請求項６】
前記嵌合部は、根元側の前記第二底面部までの長さが、先端側の前記第二底面部までの長さより短く形成された請求項１から請求項５のいずれか１項に記載の嵌め込みフレーム構造体。
【請求項７】
前記第一フレームは、中空柱状にて形成される請求項１から請求項６のいずれか１項に記載の嵌め込みフレーム構造体。
【請求項８】
請求項１から請求項７のいずれか１項に記載の嵌め込みフレーム構造体と、
前記嵌め込みフレーム構造体の外周を覆う枠部と、
前記嵌め込みフレーム構造体と前記枠部とを固定する連結部とを備えた筐体。
【発明の詳細な説明】
【技術分野】
【０００１】
この発明は、高強度に、容易にかつ高精度に組み立てることができる嵌め込みフレーム構造体および筐体に関するものである。
【背景技術】
【０００２】
Ｈ形や溝形の形鋼あるいは板金を曲げてＬ字やコ字形状の部材を組み合わせてフレーム構造体を製作する場合、一般的に部材同士を溶接で接合する。この溶接を実施するには、精度よく部材同士の位置を合わせるため、また、溶接の作業効率向上させるために特殊な治具や専属の溶接技能者が必要であった。また溶接した場合、溶接による熱歪が発生し、歪取りなどの修復作業が必要であり多くの手間とコストが係るという問題があった。
【０００３】
この問題を解決するために、溶接を行うことなく可能なものとして、互いに直交する縦梁、横梁、奥行梁を組み合わせ結合して箱型の枠組みを構築した板金フレーム組立構造で、前記縦梁、横梁、奥行梁の梁部材が薄板鋼板を断面コ字型ないし２字形に板金曲げ加工したものにおいて、前記枠組みのコーナー部にて縦梁、横梁、奥行梁の端部同士を内外に重ねて嵌め合わせ式に組み合わせた上で各梁部材の重なり板面をリベットにより直接カシメ止めしたフレーム構造がある（例えば、特許文献１参照）。
【先行技術文献】
【特許文献】
【０００４】
【特許文献１】特開２０１１−６１９８１号公報
【発明の概要】
【発明が解決しようとする課題】
【０００５】
従来の箱型の枠組みフレームにあっては、六面体構造となるがそれぞれの面をパネル等で覆うことで箱が完成する。しかしながら、枠組みフレームで構成された前記面に対して、パネルを組み付けるだけではパネル一枚で外力等の負荷に耐える必要があり、パネルを頑丈にするため、パネル裏面に補強部材を溶接などで接合する必要があった。また、枠組みフレーム自体の強度を高めるため、あるいは、面に部品などを組み付ける際には、面内に梁部材等縦横に交差するように設けて強度向上および、部品の係止部を設けなければならないという問題点があった。
【０００６】
この発明は上記のような課題を解決するたになされたものであり、高強度に、容易にかつ高精度に組み立てることができる嵌め込みフレーム構造体および筐体を提供することを目的とする。
【課題を解決するための手段】
【０００７】
この発明の嵌め込みフレーム構造体は、
短手方向の断面形状の一部がコ字状であってコ字状の部分は第一底面部、および一対の第一側面部にて形成される第一フレームと、
短手方向の断面形状がコ字状であってコ字状の部分は第二底面部、および一対の第二側面部にて形成される第二フレームとをそれぞれ複数有し、
各前記第一フレームと各前記第二フレームとがそれぞれ直交するように格子状に配置され、当該直交する箇所では、前記第一フレームの前記第一底面部の外面と前記第二フレームの前記第二底面部の内面とを当接させるように前記第一フレームの第一連結部と、前記第二フレームの第二連結部とがそれぞれ連結される嵌め込みフレーム構造体であって、
前記第一フレームの前記第一連結部は、
一対の前記第二側面部を挿入するために前記第一底面部から一対の前記第一側面部にそれぞれ連通して形成された切り欠きを長手方向に間隔を隔てて形成された一対の第一切欠部と、
一対の前記第一切欠部の少なくともいずれか一方において一対の前記第一切欠部にて挟まれた前記第一底面部から長手方向に突出する突出部と、
一対の前記第一切欠部の一対の前記第一側面部の少なくともいずれか１つの延長線上に、一対の前記第一切欠部とは離反して形成された嵌合孔とを有し、
前記第二フレームの前記第二連結部は、
一対の前記第二側面部には、前記嵌合孔に嵌合される長手方向に突出するための嵌合部を形成する第二切欠部と、
前記第二底面部には、前記突出部が挿入された挿入孔とを有するものである。
また、この発明の筐体は、
前記嵌め込みフレーム構造体と、
前記嵌め込みフレーム構造体の外周を覆う枠部と、
前記嵌め込みフレーム構造体と前記枠部とを固定する連結部とを備えたものである。
【発明の効果】
【０００８】
この発明の嵌め込みフレーム構造体および筐体によれば、
高強度に、容易にかつ高精度に組み立てることができる。
【図面の簡単な説明】
【０００９】
【図１】この発明の実施の形態１における嵌め込みフレーム構造体の構成を示す斜視図である。
【図２】図１に示した嵌め込みフレーム構造体の１つの第一フレームの構成を示す斜視図である。
【図３】図１に示した嵌め込みフレーム構造体の１つの第二フレームの構成を示す斜視図である。
【図４】図２に示した第一フレームの構成を示す図である。
【図５】図３に示した第二フレームの構成を示す図である。
【図６】図１に示した嵌め込みフレーム構造体の組立方法を示した斜視図である。
【図７】図１に示した嵌め込みフレーム構造体の組立方法を示した斜視図である。
【図８】図１に示した嵌め込みフレーム構造体の組立方法を示した斜視図である。
【図９】この発明の実施の形態２における嵌め込みフレーム構造体の第一フレームの連結部の構成を示す図である。
【図１０】この発明の実施の形態２における嵌め込みフレーム構造体の第二フレームの構成を示す図である。
【図１１】この発明の実施の形態２における嵌め込みフレーム構造体の組立方法を示した斜視図である。
【図１２】この発明の実施の形態３における嵌め込みフレーム構造体の第一フレームの連結部の構成を示す側面図である。
【図１３】この発明の実施の形態３における嵌め込みフレーム構造体の第二フレームの連結部の構成を示す上面図である。
【図１４】この発明の実施の形態３における嵌め込みフレーム構造体の組立方法を示した上面図である。
【図１５】この発明の実施の形態４における嵌め込みフレーム構造体を用いた情報表示装置を示した斜視図である。
【図１６】図１５に示した情報表示装置を示した背面斜視図である。
【図１７】図１５に示した情報表示装置を示した右側面図である。
【図１８】図１５に示した情報表示装置の表示部の構成を示した分解斜視図である。
【図１９】図１８に示した表示部の筐体の構成を示した斜視図である。
【図２０】図１９に示した筐体の組立方法の詳細を示した斜視図である。
【図２１】図１９に示した筐体の組立方法の詳細を示した斜視図である。
【図２２】図１８に示した表示部の組立方法を示した斜視図である。
【発明を実施するための形態】
【００１０】
実施の形態１．
以下、本願発明の実施の形態について説明する。図１はこの発明の実施の形態１における嵌め込みフレーム構造体の構成を示す斜視図である。図２は図１に示した嵌め込みフレーム構造体の１つの第一フレームの構成を示す斜視図である。図３は図１に示した嵌め込みフレーム構造体の１つの第二フレームの構成を示す斜視図である。図４は図２に示した第一フレームの構成を示す図である。図４（Ａ）は第一フレームの第一連結部の構成を示す斜視図、図４（Ｂ）は第一フレームの短手方向Ｘ１であって第一連結部が形成されていない箇所における断面構成を示す断面図である。
【００１１】
図５は図３に示した第二フレームの構成を示す図である。図５（Ａ）は第二フレームの第二連結部の構成を示す斜視図、図５（Ｂ）は第二フレームの短手方向Ｙ２であって第二連結部が形成されていない箇所における断面構成を示す断面図である。図６から図８は図１に示した嵌め込みフレーム構造体の組立方法を示した斜視図である。
【００１２】
図において、嵌め込みフレーム構造体５は複数の第一フレーム１と複数の第二フレーム２とにて形成される。第一フレーム１においては、長手方向Ｙ１とし、短手方向Ｘ１とする。また、第二フレーム２においては、長手方向Ｘ２とし、短手方向Ｙ２とする。また、嵌め込みフレーム構造体５の奥行方向Ｚとする。嵌め込みフレーム構造体５は各第一フレーム１と各第二フレーム２とをそれぞれ直交するように格子状に配置して形成される。
【００１３】
第一フレーム１は、図４（Ｂ）に示すように、短手方向Ｘ１の断面形状の一部がコ字状であってコ字状の部分は第一底面部１０、および一対の第一側面部１１、１２にて形成される。一対の第一側面部１１、１２は、第一底面部１０に対して平行な面にて形成される。第二フレーム２は、図５（Ｂ）に示すように、短手方向Ｙ２の断面形状がコ字状であってコ字状の部分は第二底面部２０、および一対の第二側面部２１、２２にて形成される。一対の第二側面部２１、２２は、第二底面部２０に対して平行な面にて形成される。
【００１４】
嵌め込みフレーム構造体５の第一フレーム１と第二フレーム２とが直交する箇所には、第一フレーム１の第一連結部１００と、第二フレーム２の第二連結部２００とが連結して形成される。第一フレーム１と第二フレーム２とが直交する箇所では、第一フレーム１の第一底面部１０の外面１０Ａと第二フレーム２の第二底面部２０の内面２０Ｂとが当接させる。
【００１５】
第一フレーム１の第一連結部１００は、一対の第一切欠部１３、１４と、突出部１５、１６と、嵌合孔３１、３２、３３、３４とを有する。一対の第一切欠部１３、１４は、第二フレーム２の一対の第二側面部２１、２２を挿入するためのものである。一対の第一切欠部１３、１４は、第一底面部１０から一対の第一側面部１１、１２にそれぞれ連通して切り欠いて形成される。一対の第一切欠部１３、１４は、第二フレーム２の一対の第二側面部２１、２２が挿入可能なように長手方向Ｙ１に間隔を隔てて形成される。
【００１６】
突出部１５、１６は、一対の第一切欠部１３、１４において、一対の第一切欠部１３、１４にて挟まれた第一底面部１０から長手方向Ｙ１に突出して形成される。突出部１５、１６は、第一底面部１０の短手方向Ｘ１の中央部に形成される。嵌合孔３１、３２、３３、３４は、一対の第一切欠部１３、１４の一対の第一側面部１１、１２のそれぞれの延長線上に、一対の第一切欠部１３、１４とは離反して形成される。
【００１７】
第二フレーム２の第二連結部２００は、第二切欠部２３、２４、２５、２６と、挿入孔２７、２８とを有する。第二切欠部２３、２４、２５、２６は、一対の第二側面部２１、２２にそれぞれ二箇所ずつに形成されている。各第二切欠部２３、２４、２５、２６は、長手方向Ｘ２に突出した嵌合部４１、４２、４３、４４を形成するためにＬ字状に切り欠かれており、嵌合部４１、４２、４３、４４は第一フレーム１の嵌合孔３１、３２、３３、３４にそれぞれ嵌合される。挿入孔２７、２８は、第一フレーム１の突出部１５、１６を挿入するために、第一フレーム１の板厚Ｔ程度の幅を有して第二底面部２０に形成される。
【００１８】
次に上記のように構成された実施の形態１の嵌め込みフレーム構造体５の組立方法について図６から図８に基づいて説明する。まず、図６に示すように、第一フレーム１の第一底面部１０の外面１０Ａに、第二フレーム２の第二底面部２０の内面２０Ｂが相対するように配置する。第一連結部１００の一対の第一切欠部１３、１４に第二連結部２００の一対の第二側面部２１、２２を、第一フレーム１の第一底面部１０の外面１０Ａと第二フレーム２の第二底面部２０の内面２０Ｂとが着接するまで嵌め込むと図７に示すように構成される。
【００１９】
次に、図７に示すように、第一連結部１００の嵌合孔３１、３２、３３、３４と、第二連結部２００の嵌合部４１、４２、４３、４４のそれぞれ四箇所が嵌まり込むように第二フレーム２をスライド方向Ｓへスライドさせる。すると、図８に示すように、第一連結部１００の嵌合孔３１、３２、３３、３４に、第二連結部２００の嵌合部４１、４２、４３、４４がそれぞれ嵌まり込む。それとともに、突出部１５、１６が挿入孔２７、２８に挿入され組立完了となる。
【００２０】
上記のように構成された実施の形態１の嵌め込みフレーム構造体によれば、突出部を、一対の第一切欠部のいずれにも形成し、第二底面部に各突出部が挿入される挿入孔を一対形成するため、第一フレームの短手方向であって、第二フレームの長手方向における第一フレームの第一連結部と第二フレームの第二連結部とズレを抑制することができる。
【００２１】
また、嵌合孔を、一対の第一切欠部の一対の第一側面部の全ての延長線上の四箇所に形成し、一対の第二側面部には、各嵌合孔に嵌合される長手方向に突出するための嵌合部を形成する第二切欠部を四箇所に形成するため、第一フレームの長手方向であって、第二フレームの短手方向、および、第一フレームおよび第二フレームの奥行方向における第一フレームの第一連結部と第二フレームの第二連結部とのズレを抑制することができる。
【００２２】
このように第一フレームの第一連結部と第二フレームの第二連結部とを嵌め込むことで、嵌め込みフレーム構造体の上下、左右、奥行方向全ての方向において固定することができるため、リベット等の係止部材を使用することなく組み立てることが可能となる。これにより、リベット等の係止部材を締結していた組立時間を短縮し、誰でも容易に精度よく組み立てることができる。また、リベット等の係止部材を使用しないため、第一フレームおよび第二フレームの表面側にリベットの頭部等の突起がなく、第一フレームおよび第二フレームの表面に部品などを組み付ける際に突起を回避するための形状の制限がなくなり取り付け部品の制約を広げることができる。
【００２３】
また、第一フレームの第一連結部と第二フレームの第二連結部とが互いに嵌まり合い、リベット等の係止部品を使用していないため、持ち運び中に生じる振動等により、第一フレームと第二フレームとが分解されることなく持ち運ぶことが可能となる。
【００２４】
また、上記実施の形態１においては、突出部を、一対の第一切欠部のいずれにも形成し、第二底面部に各突出部が挿入された挿入孔を二箇所に形成する例を示したが、これに限られることはなく、突出部を、一対の第一切欠部のいずれか一方に形成し、第二底面部には、突出部が挿入された挿入孔を一箇所に形成する場合も考えられる。この場合、上記実施の形態１の場合より、第一フレームの短手方向であって、第二フレームの長手方向における第一フレームの第一連結部と第二フレームの第二連結部とのズレの抑制は低下するものの、構成要件が減るため、製造コストが低減し、組立作業も低減することができる。
【００２５】
また、嵌合孔を、一対の第一切欠部の一対の第一側面部の全ての延長線上の四箇所に形成し、一対の第二側面部には、各嵌合孔に嵌合される長手方向に突出するための嵌合部を形成する第二切欠部を四箇所に形成する例を示したが、これに限られることはなく、嵌合孔を、一対の第一切欠部の一対の第一側面部のいずれか１つの延長線上の一箇所に形成し、一対の第二側面部には、嵌合孔に嵌合される長手方向に突出するための嵌合部を形成する第二切欠部を一箇所に形成する場合も、また、二箇所、または、三箇所の嵌合孔およびそれに対応する二箇所、または三箇所の嵌合部を形成することも考えられる。
【００２６】
これらの場合、実施の形態１の場合より、第一フレームの長手方向であって、第二フレームの短手方向、および、第一フレームおよび第二フレームの奥行方向における第一フレームの第一連結部と第二フレームの第二連結部とのズレの抑制は低下するものの、構成要件が減るため、製造コストが低減し、組立作業も低減することができる。
【００２７】
実施の形態２．
図９はこの発明の実施の形態２における嵌め込みフレーム構造体の第一フレームの連結部の構成を示す図である。図１０はこの発明の実施の形態２における嵌め込みフレーム構造体の第二フレームの構成を示す図であり、第二フレームの短手方向Ｙ２であって第二連結部２００が形成されていない箇所における断面構成を示す断面図である。図１１はこの発明の実施の形態２における嵌め込みフレーム構造体の組立方法を示した斜視図である。
【００２８】
図において、上記実施の形態１と同様の部分は同一符号を付して説明を省略する。第一底面部１０における、一対の第一切欠部１３、１４の長手方向Ｙ１の最長箇所の長さＷ１、ここでは一対の第一切欠部１３、１４のいずれにも突出部１５、１６が形成されているため、突出部１５、１６間の長手方向Ｙ１の長さＷ１が最長箇所となる。そして、この長さＷ１が、一対の第二側面部２１、２２の内側２１Ｂ、２２Ｂ間の長さＷ２より長く、かつ、一対の第二側面部２１、２２の外側２１Ａ、２２Ａ間の長さＷ３より短く形成される。一対の第二側面部２１、２２の長さＷ２と長さＷ３との差は、第二フレーム２の板厚Ｔ×２の長さと同等である。
【００２９】
また、突出部１５、１６は、突出側の短手方向Ｘ１の長さＷ４が、根元側の短手方向Ｘ１の長さＷ５より短くなる傾斜部１５０、１６０を備える。また、この傾斜部１５０、１６０は嵌合部４１、４２、４３、４４の突出する側に形成される。また、１つの第一切欠部１３、１４の長手方向Ｙ１の最短箇所の長さＷ６は、第二フレーム２の板厚Ｔより若干長くα形成される（Ｗ６＝Ｔ＋α）。
【００３０】
次に上記のように構成された実施の形態２の嵌め込みフレーム構造体５の組立方法について図１１に基づいて説明する。本実施の形態２においては、突出部１５、１６間の長手方向Ｙ１の長さＷ１が、一対の第二側面部２１、２２の内側２１Ｂ、２２Ｂ間の長さＷ２より長く形成されているため、上記実施の形態１と同様に第一フレーム１と第二フレーム２とを直交させた状態で短手方向Ｘ１に対して平行な姿勢にて、第一切欠部１３、１４に第二側面部２１、２２を挿入すると干渉する。よって、第二フレーム２を図１１に示すように、突出部１５、１６の傾斜部１５０、１６０が形成されている側に傾けて挿入していくと挿入し易い。以後は、上記実施の形態１と同様に組み立てることができる。
【００３１】
尚、長さＷ１が、一対の第二側面部２１、２２の内側２１Ｂ、２２Ｂ間の長さＷ２より長く形成し、かつ、一対の第二側面部２１、２２の外側２１Ａ、２２Ａ間の長さＷ３より短く形成するのは、第二フレーム２の一対の第二側面部２１、２２を第一フレーム１の一対の第一切欠部１３、１４に嵌め込む際、第二側面部２１、２２が弾性変形を起こし嵌合可能にするためであって、また、第一フレーム１の突出部１５、１６が第二フレーム２の挿入孔２７、２８に嵌まり込むことで上記弾性変形が解放され組立可能にするためである。長さＷ１が短すぎると、弾性変形による効果が得られなく、長すぎると、弾性変形により破壊されるまたは嵌め込み不可となるためである。
【００３２】
上記のように構成された実施の形態２によれば、上記実施の形態１と同様の効果を奏するのはもちろんのこと、一対の第一切欠部の長手方向の最長箇所の長さが、一対の第二側面部の内側間の長さより長く、かつ、一対の第二側面部の外側間の長さより短く形成されているため、第二フレームの一対の第二側面部を第一フレームの一対の第一切欠部に嵌め込む際、弾性変形を起こし組み立てられる。また、第一フレームの突出部が第二フレームの挿入孔に嵌まり込むことで弾性変形が解放され組み立てられる。
【００３３】
これにより、第一フレームおよび第二フレームの板材の弾性変形を利用して、嵌め込み固定されているため、容易に分解されることがない。そのため組立後の輸送時等の振動により、嵌め込みフレーム構造体が分解されることなく持ち運びが可能となる。
【００３４】
また、この際、突出部の傾斜部が形成されているため、嵌め込む際に傾斜部がガイドとなり嵌め込むことでできるため、容易に弾性変形を起こし嵌め込むことができる。
【００３５】
尚、上記実施の形態２においては、突出部に傾斜部を形成する例を示したが、上記実施の形態１においても同様に傾斜部を形成すれば、突出部を容易に挿入孔に挿入することが可能となる。
【００３６】
また、上記実施の形態２において、突出部に傾斜部が形成されていない場合には、嵌め込む際のガイドが存在しなくなるものの、ある程度の力を付勢することにより嵌め込むことは可能である。
【００３７】
実施の形態３．
図１２はこの発明の実施の形態３における嵌め込みフレーム構造体の第一フレームの連結部の構成を示す側面図である。図１３はこの発明の実施の形態３における嵌め込みフレーム構造体の第二フレームの連結部の構成を示す上面図である。図１４はこの発明の実施の形態３における嵌め込みフレーム構造体の組立方法を示した上面図である。
【００３８】
図において、上記各実施の形態と同様の部分は同一符号を付して説明を省略する。嵌合部４１、４２、４３、４４は、根元側４０Ｅの第二底面部２０までの長さＷ８が、先端側４０Ｆの第二底面部２０までの長さＷ９より短く形成される。よって、嵌合部４１、４２、４３、４４は、スライド方向Ｓに対して傾斜部４０Ｄが形成される。また、嵌合部４１、４２、４３、４４が嵌合される嵌合孔３１、３２、３３、３４の第一底面部１０までの長さＷ７に板厚Ｔを加算した長さＷ７＋Ｔ、すなわち、第一底面部１０に第二底面部２０が当接した箇所までの長さＷ７＋Ｔは、長さＷ８より若干短く形成される。
【００３９】
次に、上記のように構成された実施の形態３の嵌め込みフレーム構造体５の組立方法について説明する。本実施の形態３では、嵌合部４１、４２、４３、４４は、根元側４０Ｅの第二底面部２０までの長さＷ８が、先端側４０Ｆの第二底面部２０までの長さＷ９より短く形成されているため、嵌合部４１、４２、４３、４４に傾斜部４０Ｄが形成されるため、嵌合孔３１、３２、３３、３４に挿入し易い。
【００４０】
また、嵌合孔３１、３２、３３、３４の第一底面部１０までの長さＷ７に板厚Ｔを加算した長さＷ７＋Ｔが、根元側の第二底面部２０までの長さＷ８より若干短く形成されているため、嵌合部４１、４２、４３、４４と、嵌合孔３１、３２、３３、３４とが僅かに干渉し合い組み付けられる。よって、図１４に示すように、第一フレーム１の第一底面部１０の外面１０Ａと第二フレーム２の第二底面部２０の内面２０Ｂとの当接がより一層密着できる。その他の構成は上記各実施の形態と同様である。
【００４１】
上記のように構成された実施の形態３によれば、上記各実施の形態と同様の効果を奏するのはもちろんのこと、嵌合部が傾斜して形成されているため、嵌合孔に挿入し易い。さらに、嵌合部と嵌合孔とを干渉させながら組み立てるため、第一フレームの第一底面部の外面と第二フレームの第二底面部の内面とを当接が密着でき、ガタつきがより一層解消され組み付けることができ、頑丈な嵌め込みフレーム構造体を得ることができる。
【００４２】
上記各実施の形態においては、第一フレームを断面形状がコ字状にて形成する例を示したが、これに限られることはなく、第一フレームは、断面形状の一部がコ字状にて形成する中空柱状にて形成することも可能である。この場合、第一フレームの剛性がさらに向上し、嵌め込みフレーム構造体の全体の剛性が向上することとなる。
【００４３】
実施の形態４．
本実施の形態４においては、上記各実施の形態にて示した嵌め込みフレーム構造体５を利用した筐体について説明する。よって、本実施の形態４の筐体は、上記各実施の形態のいずれの嵌め込みフレーム構造体５でも同様に形成することができるためその説明は適宜省略する。
【００４４】
この発明の実施の形態４では嵌め込みフレーム構造体５を用いた筐体を使用した、路上に設置される情報表示装置について説明する。図１５は情報表示装置を前方方向からみた構成を示す斜視図である。図１６は図１５に示した情報表示装置を後方方向からみた構成を示す斜視図である。図１７は図１５に示した情報表示装置を右方向からみた構成を示す側面図である。図１８は図１５に示した情報表示装置の表示部の構成を示した分解斜視図である。
【００４５】
図１９は図１８に示した表示部の筐体の構成を示した図である。図１９（Ａ）は筐体の分解斜視図である。図１９（Ｂ）は筐体の構成を示した斜視図である。図２０は図１９（Ｂ）の点線Ｇにて囲んだ部分の筐体の取付の詳細を示した部分斜視図である。図２１は図１９（Ｂ）の点線Ｈにて囲んだ部分の筐体の取付の詳細を示した部分斜視図である。図２２は図１８に示した表示部の構成を示す図である。図２２（Ａ）は表示部の正面図である。図２２（Ｂ）は表示部の背面図である。
【００４６】
路上に設置される情報表示装置５１は、路側に立設された支柱５２と、支柱５２の背面側に設けられた梯子５３とを備える。支柱５２の上部側には路面に対して平行に車道側に伸びた支持部材５４が設置される。また支持部材５４の先端部にボルト等で固定された枠組みフレーム５５が設けられる。枠組みフレーム５５は、形鋼材等を枠状に配置して継ぎ目部を溶接で組み立てられる。枠組みフレーム５５の後方には人が点検作業をする作業台５６が設けられる。また、枠組みフレーム５５の前方側、つまり作業台５６の反対側には、ＬＥＤ等の表示素子５８を縦横に連続して並べて配置し固定された表示部５７が設置される。
【００４７】
表示部５７は枠組みフレーム５５に着接し、ボルトにて固定される。表示部５７の上部側には名称部５９と点滅灯部６０とで構成された筺体６１がボルトにて固定され設置される。また、仕様によっては”試験中”などの表示を行う看板６２が表示部５７の側面に配置される。看板６２は情報表示装置５１の点検等で人が作業台５６に立ち入った際に走行車両にその旨を知らせるためのものであり、手動によりパネルを回転させて試験中の表示を行う。また、表示部５７は図１７に示すように、路上に向けて下向きに３度程度の僅かな傾斜をつけて設置されている。
【００４８】
表示部５７は、第一筐体６３と第二筐体６４の分割された２つの板金製の筺体を横に並べて着接された状態で枠組みフレーム５５にボルトで固定される。その第一筐体６３および第二筐体６４の構成について第一筐体６３を例に説明する。図１９（Ａ）に示すように、第一筐体６３の構成は、上記各実施の形態において示した嵌め込みフレーム構造体５の上下端部に断面コ字形状の面６５Ａ、６５Ｂ、６５Ｃからなる枠部としての横枠６５がそれぞれ配置される。また、左右端部には断面コの字形状の面６６Ａ、６６Ｂ、６６Ｃからなる枠部としての縦枠６６を配置し構成されている。
【００４９】
また、縦枠６６の上下端部には曲げ加工によって設けられた面６６Ｄが設けられている。嵌め込みフレーム構造体５、横枠６５、縦枠６６を組み付けると図１９（Ｂ）に示すように構成される。組立手順は、図２０に示すように、横枠６５の面６５Ａを第一フレーム１の第一底面部１０に着接させて連結部としてのリベットにより固定する。また、第一フレーム１の上下端部に曲げ加工されて設けられた面１Ｃと横枠の面６５Ｂを着接させ連結部としてのリベットにより固定する。そして、図２１に示すように、横枠６５の面６５Ａの内面および縦枠６６の面６６Ａの外面、横枠６５の面６５Ｂの内面および縦枠６６の面６６Ｄの外面、横枠６５の面６５Ｃの内面および縦枠６６の面６６Ｃの外面がそれぞれ着接するように嵌め込む。
【００５０】
また、縦枠６６の面６６Ａの外面および第二フレーム２の第二底面部２０の内面が着接するような構成とする。着接した面それぞれを連結部としてのリベットにより固定することで第一筐体６３を組み立てることができる。第二筐体６４についても同等の組立手順で組み立てることができる。上記のように組み立てられた第一筐体６３および第二筐体６４の嵌め込みフレーム構造体５の第二フレーム２の第二底面部２０の外面側にはＬＥＤ等の表示素子５８が縦横に隙間なくネジ固定により組み付けられる。
【００５１】
また、第一筐体６３および第二筐体６４の嵌め込みフレーム構造体５が組み付けられない面、つまり表示素子５８が組み付けられた面の反対となる面には、点検時に開閉できる扉６７が設けられる。このような構成の情報表示装置５１によれば、表示部５７の第一筐体６３および第二筐体６４に嵌め込みフレーム構造体５を採用したことで、第一筐体６３および第二筐体６４の組み立ては、枠部の嵌め込みと連結部のリベット締結により組み立てることができ誰でも容易に組み立てることができる。
【００５２】
また、表示素子５８が組み付く嵌め込みフレーム構造体５の表面側にリベットの頭部等の突起物がないため、表示素子５８を組み付ける際に前記突起物に干渉する等といった不具合を未然に防ぐことができる。また、熟練作業を要する溶接組立をせずに組立可能であり誰でも容易に精度よく組み立てることが可能である。また、歪取り等の作業も発生しないため、大幅な組立時間の短縮が可能となる。また、第一フレーム１、第二フレーム２を断面がコ字形状を有することで、断面係数が向上し、補強部材としての役割を果たすことができる。
【００５３】
尚、上記実施の形態４では、嵌め込みフレーム構造体を情報表示装置に使用する例を示したが、これに限られることはなく、制御盤などの箱状の筺体などにも容易に適用が可能である。第一フレーム１の第一連結部１００および第二フレーム２の第二連結部２００
は配置する場所を変更したり、それぞれの第一連結部１００および第二連結部２００の数を変更することで、あらゆる用途に適用が可能である。また、嵌め込みフレーム構造体５に組み付く部品についても、表示素子５８に限定されるものではなく、例えば板金等の薄板を組み付けることで、容易に筐体を製作することができる。
【００５４】
上記のように構成された実施の形態４の筐体によれば、筐体を組み立てることが誰でも容易に精度よく組み立てることが可能となった。また、嵌め込みフレーム構造体が補強部材としての役割を果たし高強度の筺体を得ることができる。
【００５５】
尚、本発明は、その発明の範囲内において、各実施の形態を自由に組み合わせたり、各実施の形態を適宜、変形、省略することが可能である。
【符号の説明】
【００５６】
１  第一フレーム、２  第二フレーム、５  嵌め込みフレーム構造体、
１０  第一底面部、１０Ａ  外面、１１  第一側面部、１２  第一側面部、
１３  第一切欠部、１４  第一切欠部、１５  突出部、１５Ａ  突出側、
１５Ｂ  根元側、２０  第二底面部、２０Ｂ  内面、２１  第二側面部、２１Ａ  外側、２１Ｂ  内側、２２  第二側面部、２３  第二切欠部、２４  第二切欠部、
２５  第二切欠部、２６  第二切欠部、２７  挿入孔、２８  挿入孔、３１  嵌合孔、
３２  嵌合孔、３３  嵌合孔、３４  嵌合孔、４１  嵌合部、４２  嵌合部、
４３  嵌合部、４４  嵌合部、５１  情報表示装置、５２  支柱、５３  梯子、
５４  支持部材、５５  フレーム、５６  作業台、５７  表示部、５８  表示素子、
５９  名称部、６０  点滅灯部、６１  筺体、６２  看板、６３  第一筐体、
６４  第二筐体、６５  横枠、６５Ａ  面、６５Ｂ  面、６５Ｃ  面、６６  縦枠、
６６Ａ  面、６６Ｃ  面、６６Ｄ  面、６７  扉、１００  第一連結部、
１５０  傾斜部、１６０  傾斜部、２００  第二連結部、Ｙ１  長手方向、
Ｘ１  短手方向、Ｘ２  長手方向、Ｙ２  短手方向。
【図１】
2018085355.tif 000003
【図２】
2018085355.tif 000004
【図３】
2018085355.tif 000005
【図４】
2018085355.tif 000006
【図５】
2018085355.tif 000007
【図６】
2018085355.tif 000008
【図７】
2018085355.tif 000009
【図８】
2018085355.tif 000010
【図９】
2018085355.tif 000011
【図１０】
2018085355.tif 000012
【図１１】
2018085355.tif 000013
【図１２】
2018085355.tif 000014
【図１３】
2018085355.tif 000015
【図１４】
2018085355.tif 000016
【図１５】
2018085355.tif 000017
【図１６】
2018085355.tif 000018
【図１７】
2018085355.tif 000019
【図１８】
2018085355.tif 000020
【図１９】
2018085355.tif 000021
【図２０】
2018085355.tif 000022
【図２１】
2018085355.tif 000023
【図２２】
2018085355.tif 000024